(57)【特許請求の範囲】
【請求項１】
排水口から排水を流入させる防臭筒と、
防臭筒と排水管との間で排水を溜めて防臭筒を封水させる封水溜め升と
を備えた排水トラップにおいて、
前記封水溜め升に前記排水口とは別の排水口から排水を流入させる排水流入管を設け、
前記封水溜め升の側周壁に、前記排水流入管とは反対の位置と周方向に９０°ずつずらした位置との３箇所に閉塞状態の排水管接続部を設け、
この排水管接続部を先端が閉塞壁で閉塞された筒状部位で構成すると共に、この筒状部位の任意長さ位置にノッチ溝を設け、
前記複数の排水管接続部のうち任意の排水管接続部を排水トラップの設置時に開状態にして排水管を接続させる機能接続部として成る
ことを特徴とする排水トラップ。
【発明の詳細な説明】
【技術分野】
【０００１】
本発明は、排水トラップに関するものである。
【背景技術】
【０００２】
従来から、キッチンや浴室２０などの排水口５には、排水を流す排水管６からの臭いや虫等を室内に侵入させないために、排水トラップ１が設けられている。ところで、排水トラップ１には、排水口５から排水を流入させる防臭筒２と、防臭筒２と排水管６との間で排水を溜めて防臭筒２を封水Ａさせる封水溜め升３とを備えて構成されたものがあるが（図２参照）、一般にこのような排水トラップ１では図５のように封水溜め升３の側周壁３ａに排水管接続部４が１つ形成されており、排水トラップ１を排水口５に設置する際に、建物側に配設された排水管６の排水管接続部４への接続作業が行われる。
【０００３】
ここで、建物は個別の建設条件に合わせて設計・施工されるものであって建物への排水管６の配設プランも建物毎に異なるものであり、つまり排水トラップ１と排水管６との位置関係など、排水管６の配設状態は建物毎に異なるのである。
【０００４】
上記封水溜め升３の周壁に排水管接続部４が１つ形成された一般の排水トラップ１では排水方向が１方向に限定されることとなり、したがって、たまたま排水トラップ１の排水管接続部４と排水管６とが接続に適した位置関係となっていれば容易に両者を接続できるのであるが、排水管接続部４と排水管６とが接続に適した位置関係にならない場合も多く、このような場合には排水管６の末端にフレキシブル管を繋げたり等の処置を施すなど、排水管接続部４と排水管６との接続作業が煩雑になるという問題があった。
【０００５】
殊に、近接する洗い場２２の排水口５と浴槽２３の排水口７とを各々封水Ａするトラップ部を連設したような排水トラップ１では（図２参照）、その設置位置が上記２つの排水口５を基準に一意に決められることから、建物に設けた排水管６と排水管接続部４との接続はより制約があって困難なものとなる。
【特許文献１】特願２００１−３５３２１２号公報
【発明の開示】
【発明が解決しようとする課題】
【０００６】
本発明は上記の点に鑑みてなされたものであり、その目的とするところは、建物毎に配設状態の異なる排水管にも封水溜め升の排水管接続部を容易に接続させると共に、簡単な構造を確保してコストを低廉化できる排水トラップを提供することを課題とするものである。
【課題を解決するための手段】
【０００７】
上記課題を解決するために請求項１に係る排水トラップにあっては、排水口５から排水を流入させる防臭筒２と、防臭筒２と排水管６との間で排水を溜めて防臭筒２を封水Ａさせる封水溜め升３とを備えた排水トラップ１において、前記封水溜め升３に前記排水口５とは別の排水口８から排水を流入させる排水流入管９を設け、前記封水溜め升３の側周壁３ａに、前記排水流入管９とは反対の位置と周方向に９０°ずつずらした位置との３箇所に閉塞状態の排水管接続部４を設け、この排水管接続部４を先端が閉塞壁１２で閉塞された筒状部位で構成すると共に、この筒状部位の任意長さ位置にノッチ溝１３を設け、前記複数の排水管接続部４のうち任意の排水管接続部４を排水トラップ１の設置時に開状態にして排水管６を接続させる機能接続部４ａとして成ることを特徴とする。
【０００８】
これによると、この排水トラップ１は封水溜め升３に複数の閉塞された排水管接続部４を設けるという低コストで得られる簡単な構造であり、この排水トラップ１を設置する際には、複数の排水管接続部４のうちの任意の排水管接続部４（４ａ）を開状態にして建物側に配設された排水管６に接続できるから、建物毎に配設状態の異なる排水管６にも適宜選択した排水管接続部４（４ａ）を容易に接続させることができる。
【００１０】
また、機能接続部４ａとなる排水管接続部４を開状態にするには先端の閉塞壁１２を切り落とすように筒状部位を切断具で切断すればよく、この切断具の切断はノッチ溝１３に切断刃をガイドさせて行わせることができるから、切断刃が筒状部位の表面で滑ることがなくて切断作業を容易にできると共に、所定の切断面で排水管接続部４を開状態にできて排水管６の支障のない接続を可能にできる。
【発明の効果】
【００１１】
本発明にあっては、排水トラップにコストを低廉化できる簡単な構造を確保しつつ、建物毎に配設状態の異なる排水管にも封水溜め升の排水管接続部を容易に接続させ得る、という利点を有する。
【発明を実施するための最良の形態】
【００１２】
以下、本発明を添付図面に示す実施形態に基いて説明する。
【００１３】
本例の排水トラップ１は、図２のように浴室２０の床下２１に配設されるものであり、洗い場２２に設けた排水口５から排水を流入させる防臭筒２と、洗い場２２の床下２１に配管される排水管６と上記防臭筒２との間で排水を溜めて防臭筒２を封止させる封水溜め升３とを備えている。
【００１４】
封水溜め升３は上方に開口する有底筒状の容器体であり、その上方開口縁に排水口５縁に固定する固定部を設けている。防臭筒２は上下に開口する筒体であり、その上端が封水溜め升３の上方開口に吊持されて、封水溜め升３の側周壁３ａや底壁３ｂと間隔をあけつつ封水溜め升３内の下部域にまで至るように封水溜め升３内に配置される。このときには排水口５と防臭筒２の上方開口とは連通状態になって、洗い場排水が排水口５から防臭筒２を経て封水溜め升３内に流入するようになる。また、本例の封水溜め升３には浴槽２３の排水口７や浴槽２３を載置する浴槽載置部２４に設けた排水口８から至る排水流入管９が設けられており、浴槽排水や浴槽載置部２４上の排水も排水流入管９を経て封水溜め升３内に流入するようにされている。
【００１５】
封水溜め升３内に流入した排水は、封水溜め升３の側周壁３ａに設けた排水管接続部４に接続された排水管６に排水される。この排水管接続部４は封水溜め升３の側周壁３ａの上部域に開口する。ここで、排水管接続部４の開口下縁位置は防臭筒２の下端位置よりも高い位置に設定されている。本例では排水管接続部４の開口には上方に立ち上がる堰部１０が形成されていて、この堰部１０の上端が上記排水管接続部４の開口下縁となっている。また、排水流入管９は下流端が封水溜め升３の下部域に接続されているが、浴槽２３の排水口７や浴槽載置部２４の排水口８にまとめて接続される上流端は排水管接続部４の開口下縁位置よりも高い位置に位置している。
【００１６】
すなわち、封水溜め升３内に流入した排水は、封水溜め升３内で排水管接続部４の開口下縁位置まで貯留されるのであり、上記貯留した排水が排水管接続部４の開口下縁を越えるようになると、この超えた分の排水が排水管接続部４を経て排水管６に排水されるようになる。上記貯留した排水は防臭筒２の下部を封止する封水Ａとなり、排水管６からの汚臭等が洗い場２２の排水口５から漏れ出ないようになる。また、上記貯留した排水は排水流入管９を封止する封水Ａにもなり、排水管６からの汚臭等が浴槽２３や浴槽載置部２４の各排水口７，８から漏れ出ないようになる。
【００１７】
ところで、本例の排水トラップ１では、排水管接続部４は封水溜め升３の側周壁３ａに周方向にずらして複数設けられている。なお、この排水管接続部４は工場出荷時には閉塞状態となっており、建物に設置する際に任意の排水管接続部４を開状態にすることで機能接続部４ａとして排水管６を接続させる。
【００１８】
詳しくは、排水管接続部４は封水溜め升３の側周壁３ａから側外方に突出された筒状部位に形成されており、この筒状部位の先端には閉塞壁１２が設けられていて排水管接続部４を閉塞状態にしている。そして、本例では図１のように、浴槽２３の排水口７と洗い場２２の排水口５とを結ぶ線から封水溜め升３の周方向に９０°ずつずらした方向に向くように、３つの排水管接続部４が封水溜め升３の側周壁３ａから側外方に突設されている。また、排水管接続部４である筒状部位の先端近傍位置にはその周壁１１の廻りにノッチ溝１３が刻設されている。
【００１９】
上記のように本例の排水トラップ１にあっては、封水溜め升３に排水管接続部４を複数設けたために、排水管６への排水方向は排水管接続部４の配置個数に応じて多方向に設定可能であり、つまり排水管６の排水管接続部４への接続施工の自由度が高められている。具体的に、排水トラップ１を建物に設置する際には、複数の排水管接続部４のうちの任意の排水管接続部４（４ａ）を開状態にして建物側に配設された排水管６に接続させるのであって、建物毎に配設状態の異なる排水管６にも適宜選択した排水管接続部４（４ａ）を容易に接続させることができるのである。
【００２０】
また、本例の排水トラップ１にあっては、上記のように建物毎に配設状態の異なる排水管６にも封水溜め升３の排水管接続部４を容易に接続させ得る利点を有するのであるが、この利点を得るための構造が、封水溜め升３に複数の閉塞された排水管接続部４を一体に形成させるといった簡単な構造で可能にされており、つまりコストの低廉化を確保することができたのである。
【００２１】
更に言うと、封水溜め升３に複数の開放された排水管接続部を形成した場合にも、任意の排水管接続部を選んで排水管６を接続させることはできるが、この場合には排水管６を接続しない開放状態の排水管接続部には閉塞状態にさせる止水処理を行わねばならないものである。これに比べ、本例のように封水溜め升３に複数の閉塞状態の排水管接続部４を形成して任意の排水管接続部４（４ａ）を選択して排水管６を接続した場合には、上記開放状態の排水管接続部に施す止水処理を行う必要が無くて良好な施工性を確保できるという利点も有する。
【００２２】
また、本例の排水トラップ１にあって、排水管接続部４への排水管６の接続施工の際に排水管接続部４を開状態にするには、先端の閉塞壁１２を切り落とすように排水管接続部４である筒状部位を切断具で切断すればよく、この切断具の切断はノッチ溝１３に切断刃をガイドさせて行わせることができるから、切断刃が筒状部位の周壁１１の外周面で滑ることがなくて切断作業を容易にできるのであり、また、所定の切断面で排水管接続部４を開状態にできて排水管６の支障のない接続を確保できるのである。
【００２３】
なお、上記実施形態では浴室２０の床下２１に設置させる排水トラップ１を例示したが、これに限られず、たとえば流し台、洗面所、ランドリースペース、洗車場などのいわゆる生活排水の排水経路に設置させる排水トラップ１であってもよいのは言うまでもない。
【図面の簡単な説明】
【００２４】
【図１】本発明の実施の形態の例の排水トラップの上面図である。
【図２】同上の排水トラップの設置状態を示す側断面図である。
【図３】同上の排水トラップの要部の側断面図である。
【図４】同上の排水トラップの要部の斜視図である。
【図５】従来技術の例の排水トラップの上面図である。
【符号の説明】
【００２５】
１      排水トラップ
２      防臭筒
３      封水溜め升
４      排水管接続部
４ａ    機能接続部
５      排水口
１２    閉塞壁
１３    ノッチ溝
【図１】
0005385514.tif 000002
【図２】
0005385514.tif 000003
【図３】
0005385514.tif 000004
【図４】
0005385514.tif 000005
【図５】
0005385514.tif 000006